(57)【特許請求の範囲】
【請求項１】
原稿の搬送路と記録媒体の搬送路とが少なくとも一部で共通する共通搬送路上で原稿の読取動作および記録媒体への記録動作を行う読取記録装置において、
前記原稿を前記共通搬送路上に搬送する原稿搬送手段と、
前記共通搬送路上の読取位置で前記原稿を読み取る読取手段と、
前記共通搬送路上の記録位置で前記記録媒体に画像を記録する記録手段と、
前記原稿の搬送路と空間を共有する共有状態と前記原稿の搬送路と空間を共有しない非共有状態とに可動自在であり、前記記録媒体を前記共通搬送路上に搬送する記録媒体搬送手段と、
前記記録媒体搬送手段の状態を検出する状態検出手段と、
前記原稿の読取動作中に前記記録媒体搬送手段が前記共有状態にあると検出された場合、前記原稿搬送手段による原稿の搬送を中止する原稿搬送中止手段とを備えたことを特徴とする読取記録装置。
【請求項２】
前記記録媒体搬送手段が前記非共有状態にあると検出された場合、前記共通搬送路上を通過する前記原稿の先端を検出する先端検出手段を備え、
前記原稿の先端が検出されなかった場合、前記状態検出手段は、再度前記記録媒体搬送手段の状態を検出することを特徴とする請求項１記載の読取記録装置。
【請求項３】
前記原稿の先端が検出されなかった場合、前記読取動作を一旦停止することを特徴とする請求項２記載の読取記録装置。
【請求項４】
原稿の搬送路と記録媒体の搬送路とが少なくとも一部で共通する共通搬送路上で原稿の読取動作および記録媒体への記録動作を行う読取記録装置において、
前記原稿を前記共通搬送路上に搬送する原稿搬送手段と、
前記共通搬送路上の読取位置で前記原稿を読み取る読取手段と、
前記共通搬送路上の記録位置で前記記録媒体に画像を記録する記録手段と、
前記原稿の搬送路と空間を共有する共有状態と前記原稿の搬送路と空間を共有しない非共有状態とに可動自在であり、前記記録媒体を前記共通搬送路上に搬送する記録媒体搬送手段と、
前記記録媒体搬送手段の状態を検出する状態検出手段と、
前記原稿の読取動作開始前に前記記録媒体搬送手段が前記共有状態にあると検出された場合、前記原稿搬送手段による原稿の搬送を禁止する原稿搬送禁止手段とを備えたことを特徴とする読取記録装置。
【請求項５】
前記記録媒体搬送手段が前記非共有状態にあると検出された場合、前記読取動作の開始を許可することを特徴とする請求項４記載の読取記録装置。
【請求項６】
前記記録媒体搬送手段が前記共有状態にあると検出された場合、前記共通搬送路上の搬送媒体の有無を検出する搬送媒体検出手段と、
前記共通搬送路上に前記搬送媒体が検出された場合、該搬送媒体を強制的に排出する強制排出手段とを備えたことを特徴とする請求項４又は５記載の読取記録装置。
【請求項７】
前記搬送媒体を強制的に排出した後、前記記録媒体搬送手段が前記非共有状態にある場合、前記読取動作の開始を許可することを特徴とする請求項６記載の読取記録装置。
【請求項８】
原稿の搬送路と記録媒体の搬送路とが少なくとも一部で共通する共通搬送路上で原稿の読取動作および記録媒体への記録動作を行う読取記録装置において、
前記原稿を前記共通搬送路上に搬送する原稿搬送手段と、
前記共通搬送路上の読取位置で前記原稿を読み取る読取手段と、
前記共通搬送路上の記録位置で前記記録媒体に画像を記録する記録手段と、
前記原稿の搬送路と空間を共有する共有状態と前記原稿の搬送路と空間を共用しない非共有状態とに可動自在であり、前記記録媒体を前記共通搬送路上に搬送する記録媒体搬送手段と、
前記記録媒体搬送手段の状態を検出する状態検出手段と、
前記原稿の読取動作開始時に前記記録媒体搬送手段が前記共有状態にあると検出された場合、前記非共有状態になるまで前記記録媒体搬送手段を可動させる状態変更手段とを備えたことを特徴とする読取記録装置。
【請求項９】
前記非共有状態は、前記記録動作を行わないときに待機する初期状態であることを特徴とする請求項１乃至８のいずれかに記載の読取記録装置。
【請求項１０】
前記記録媒体搬送手段が前記共有状態にあると検出された場合、該記録媒体搬送手段が前記初期状態にないことを通知する請求項９に記載の読取記録装置。
【請求項１１】
前記記録媒体搬送手段が前記共有状態にあると検出された場合、前記原稿の搬送動作を行わない旨を通知する通知手段を備えたことを特徴とする請求項１乃至１０のいずれかに記載の読取記録装置。
【請求項１２】
前記記録媒体搬送手段は、非円形ローラを有し、該非円形ローラを回転させることによって前記共有状態と前記非共有状態とに可動自在であることを特徴とする請求項１乃至１１のいずれかに記載の読取記録装置。
【請求項１３】
前記読取手段によって読み取られた原稿の画像情報を記憶する記憶手段を備えたことを特徴とする請求項１乃至１２のいずれかに記載の読取記録装置。
【請求項１４】
前記読取手段は、前記読取位置と該読取位置から退避した読取待機位置とに移動自在であり、
前記記録手段は、前記読取手段と前記共通搬送路上の可動空間を共有し、前記記録位置と該記録位置から退避した記録待機位置とに移動自在であることを特徴とする請求項１乃至１３のいずれかに記載の読取記録装置。
【請求項１５】
原稿の搬送路と記録媒体の搬送路とが少なくとも一部で共通する共通搬送路上で原稿の読取動作および記録媒体への記録動作を行う読取制御方法において、
前記原稿を前記共通搬送路上に搬送する原稿搬送ステップと、
前記共通搬送路上の読取位置で前記原稿を読み取る読取ステップと、
前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、
前記共通搬送路上の記録位置で前記記録媒体に画像を記録する記録ステップと、
前記記録媒体搬送手段の状態を検出する状態検出ステップと、
前記原稿の読取動作中に前記記録媒体搬送手段が前記共有状態にあると検出された場合、前記原稿搬送ステップによる原稿の搬送を中止する原稿搬送中止ステップとを有することを特徴とする読取制御方法。
【請求項１６】
原稿の搬送路と記録媒体の搬送路とが少なくとも一部で共通する共通搬送路上で原稿の読取動作および記録媒体への記録動作を行う読取制御方法において、
前記原稿を前記共通搬送路上に搬送する原稿搬送ステップと、
前記共通搬送路上の読取位置で前記原稿を読み取る読取ステップと、
前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、
前記共通搬送路上の記録位置で前記記録媒体に画像を記録する記録ステップと、
前記記録媒体搬送手段の状態を検出する状態検出ステップと、
前記原稿の読取動作開始前に前記記録媒体搬送手段が前記共有状態にあると検出された場合、前記原稿搬送ステップによる原稿の搬送を禁止する原稿搬送禁止ステップとを有することを特徴とする読取制御方法。
【請求項１７】
原稿の搬送路と記録媒体の搬送路とが少なくとも一部で共通する共通搬送路上で原稿の読取動作および記録媒体への記録動作を行う読取制御方法において、
前記原稿を前記共通搬送路上に搬送する原稿搬送ステップと、
前記共通搬送路上の読取位置で前記原稿を読み取る読取ステップと、
前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、
前記共通搬送路上の記録位置で前記記録媒体に画像を記録する記録ステップと、
前記記録媒体搬送手段の状態を検出する状態検出ステップと、
前記原稿の読取動作開始時に前記記録媒体搬送手段が前記共有状態にあると検出された場合、前記非共有状態になるまで前記記録媒体搬送手段を可動させる状態変更ステップとを有することを特徴とする読取制御方法。
【請求項１８】
請求項１乃至１４のいずれかに記載の読取記録装置を実現するためのコンピュータ読み取り可能なプログラムコードを有するプログラム。
【発明の詳細な説明】
【０００１】
【発明の属する技術分野】
本発明は、読取記録装置、読取制御方法およびプログラムに関する。
【０００２】
【従来の技術】
近年、端末装置の省スペース化に伴い、情報端末装置にも小型化が求められている。特に、家庭向けのファクシミリ装置等の読取記録装置では、読取動作と記録動作を行う紙搬送機構が完全に分離されているので、送信時に読取ユニットが原稿を読み取る空間と、受信時に記録ユニットが記録動作を行う空間とが別個になっていた。
【０００３】
図１１は従来の読取記録装置の構成を示す断面図である。この読取記録装置では、記録紙３０１は記録紙保持部材３０３に載置されており、記録紙給紙ローラ３０４および分離機構により１枚ずつ給紙される。給紙された記録紙は、給送ローラ３０５によって印字部３０６に搬送され、インクジェットカートリッジ等の記録部により記録紙上に画像が形成されつつ、排紙ローラ３０７により装置外に排出される（図中、矢印Ｂ方向）。
【０００４】
一方、原稿３０２は、原稿保持部材３０８に載置されており、原稿分離ローラ３０９と分離片３１３とから形成されるくさび形状の突き当て部にセットされる。画像読取命令によって原稿分離ローラ３０９が回転すると、突き当て部に滞留した原稿のうち、原稿分離ローラ３０９と接する原稿だけが摩擦によって分離して搬送される。
【０００５】
分離・搬送された原稿３０２は、原稿給送ローラ３１０、排紙ローラ３１２および各対向コロによって挟持されつつ搬送され、コンタクトイメージセンサ３１１により画像情報が読み取られながら、排紙ローラ３１２によって装置外に排出される（図中、矢印Ａ方向）。
【０００６】
ところで、複写機やファクシミリ装置などの読取記録装置では、市場の要望として、利便性を向上させるためのさまざまな工夫や改良が施されているが、その１つとして、装置の小型化が挙げられる。空間を有効に利用したいと考えるユーザにとっては、装置のサイズが購入する際の重要な選択項目となる。
【０００７】
【発明が解決しようとする課題】
しかしながら、上記従来の読取記録装置では、読取動作と記録動作を行う紙搬送機構が完全に分離されている、つまり、送信時に読取ユニットが原稿を読み取る空間と受信時に記録ユニットが記録動作を行う空間とが別個になっていたので、これらの物理的な空間を別々に確保する必要があり、装置の小型化が難しかった。
【０００８】
これに対し、記録紙載置台と原稿載置台とを近付け、原稿の搬送路と記録紙の搬送路とを共通にした読取記録１パス機構を採用することによって、小型化を図ったものが知られている。このように、記録紙の搬送に用いられる搬送機構を原稿の搬送機構に兼用させることで、原稿搬送に用いられる給送ローラ、排紙ローラ、原稿駆動用モータ、原稿検知センサ等が削減されることになる。
【０００９】
しかし、記録紙を搬送する記録紙搬送ローラが原稿載置台の上方に設けられ、原稿の搬送路と空間を共用することになるので、記録紙搬送ローラが原稿載置台に突出した状態にあると、原稿の読取動作時、原稿載置台に載置された原稿を正常に搬送することができない。
【００１０】
そこで、本発明は、記録媒体搬送手段が原稿の搬送路と空間を共用するような状態（記録媒体搬送手段が記録媒体搬送のために原稿の搬送路を遮断している状態）が存在しても、原稿の読取動作時、原稿を正常に搬送することができる読取記録装置、読取制御方法およびプログラムを提供することを目的とする。
【００１１】
【課題を解決するための手段】
上記目的を達成するために、本発明の読取記録装置は、原稿の搬送路と記録媒体の搬送路とが少なくとも一部で共通する共通搬送路上で原稿の読取動作および記録媒体への記録動作を行う読取記録装置において、前記原稿を前記共通搬送路上に搬送する原稿搬送手段と、前記共通搬送路上の読取位置で前記原稿を読み取る読取手段と、前記共通搬送路上の記録位置で前記記録媒体に画像を記録する記録手段と、前記原稿の搬送路と空間を共有する共有状態と前記原稿の搬送路と空間を共有しない非共有状態とに可動自在であり、前記記録媒体を前記共通搬送路上に搬送する記録媒体搬送手段と、前記記録媒体搬送手段の状態を検出する状態検出手段と、前記原稿の読取動作中に前記記録媒体搬送手段が前記共有状態にあると検出された場合、前記原稿搬送手段による原稿の搬送を中止する原稿搬送中止手段とを備えたことを特徴とする。
【００１２】
また、本発明の読取記録装置は、原稿の搬送路と記録媒体の搬送路とが少なくとも一部で共通する共通搬送路上で原稿の読取動作および記録媒体への記録動作を行う読取記録装置において、前記原稿を前記共通搬送路上に搬送する原稿搬送手段と、前記共通搬送路上の読取位置で前記原稿を読み取る読取手段と、前記共通搬送路上の記録位置で前記記録媒体に画像を記録する記録手段と、前記原稿の搬送路と空間を共有する共有状態と前記原稿の搬送路と空間を共有しない非共有状態とに可動自在であり、前記記録媒体を前記共通搬送路上に搬送する記録媒体搬送手段と、前記記録媒体搬送手段の状態を検出する状態検出手段と、前記原稿の読取動作開始前に前記記録媒体搬送手段が前記共有状態にあると検出された場合、前記原稿搬送手段による原稿の搬送を禁止する原稿搬送禁止手段とを備えたことを特徴とする。
【００１３】
さらに、本発明の読取記録装置は、原稿の搬送路と記録媒体の搬送路とが少なくとも一部で共通する共通搬送路上で原稿の読取動作および記録媒体への記録動作を行う読取記録装置において、前記原稿を前記共通搬送路上に搬送する原稿搬送手段と、前記共通搬送路上の読取位置で前記原稿を読み取る読取手段と、前記共通搬送路上の記録位置で前記記録媒体に画像を記録する記録手段と、前記原稿の搬送路と空間を共有する共有状態と前記原稿の搬送路と空間を共用しない非共有状態とに可動自在であり、前記記録媒体を前記共通搬送路上に搬送する記録媒体搬送手段と、前記記録媒体搬送手段の状態を検出する状態検出手段と、前記原稿の読取動作開始時に前記記録媒体搬送手段が前記共有状態にあると検出された場合、前記非共有状態になるまで前記記録媒体搬送手段を可動させる状態変更手段とを備えたことを特徴とする。
【００１４】
本発明の読取制御方法は、原稿の搬送路と記録媒体の搬送路とが少なくとも一部で共通する共通搬送路上で原稿の読取動作および記録媒体への記録動作を行う読取制御方法において、前記原稿を前記共通搬送路上に搬送する原稿搬送ステップと、前記共通搬送路上の読取位置で前記原稿を読み取る読取ステップと、前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、前記共通搬送路上の記録位置で前記記録媒体に画像を記録する記録ステップと、前記記録媒体搬送手段の状態を検出する状態検出ステップと、前記原稿の読取動作中に前記記録媒体搬送手段が前記共有状態にあると検出された場合、前記原稿搬送ステップによる原稿搬送を中止する原稿搬送中止ステップとを有することを特徴とする。
【００１５】
また、本発明の読取制御方法は、原稿の搬送路と記録媒体の搬送路とが少なくとも一部で共通する共通搬送路上で原稿の読取動作および記録媒体への記録動作を行う読取制御方法において、前記原稿を前記共通搬送路上に搬送する原稿搬送ステップと、前記共通搬送路上の読取位置で前記原稿を読み取る読取ステップと、前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、前記共通搬送路上の記録位置で前記記録媒体に画像を記録する記録ステップと、前記記録媒体搬送手段の状態を検出する状態検出ステップと、前記原稿の読取動作開始前に前記記録媒体搬送手段が前記共有状態にあると検出された場合、前記原稿搬送ステップによる原稿の搬送を禁止する原稿搬送禁止ステップとを有することを特徴とする。
【００１６】
さらに、本発明の読取制御方法は、原稿の搬送路と記録媒体の搬送路とが少なくとも一部で共通する共通搬送路上で原稿の読取動作および記録媒体への記録動作を行う読取制御方法において、前記原稿を前記共通搬送路上に搬送する原稿搬送ステップと、前記共通搬送路上の読取位置で前記原稿を読み取る読取ステップと、前記原稿の搬送路と空間を共有する共有状態と前記原稿の搬送路と空間を共有しない非共有状態とに可動自在である記録媒体搬送手段によって、前記記録媒体を前記共通搬送路上に搬送する記録媒体搬送ステップと、前記共通搬送路上の記録位置で前記記録媒体に画像を記録する記録ステップと、前記記録媒体搬送手段の状態を検出する状態検出ステップと、前記原稿の読取動作開始時に前記記録媒体搬送手段が前記共有状態にあると検出された場合、前記非共有状態になるまで前記記録媒体搬送手段を可動させる状態変更ステップとを有することを特徴とする。
【００１７】
【発明の実施の形態】
本発明の読取記録装置、読取制御方法およびプログラムの実施の形態について図面を参照しながら説明する。本実施形態の読取記録装置は、ファクシミリ通信機能および複写機能を有する複合通信装置に適用される。図１は実施の形態における複合通信装置の外観を示す図である。この複合通信装置は、筐体１２０を有し、その前面には排出口１２７が設けられ、その背面には原稿トレイ１１が設けられている。また、筐体１２０の上面には、ハンドセット１２１、表示器１２２、操作部１０６、原稿排紙ボタン（排紙キー）１２５等が設けられている。
【００１８】
表示器１２２は複合通信装置の状態や電話番号などを表示するものである。操作部１０６は複数のキーからなり、電話番号や各種設定情報を入力したり、動作を指示する。原稿排紙ボタン１２５は原稿や記録紙を排出するために押下されるものである。
【００１９】
図２は複合通信装置の筐体内部の構造を示す斜視図である。図２では、記録紙および原稿がセットされておらず、読取ユニットおよび記録ユニットはそれぞれ退避した位置にある状態が示されている。図３は記録ユニットが動作中である複合通信装置の筐体内部の構造を示す斜視図である。図４は記録ユニットが動作中である複合通信装置の筐体内部の構造を示す側部断面図である。図５は読取ユニットが動作中である複合通信装置の筐体内部の構造を示す斜視図である。図６は読取ユニットが動作中である複合通信装置の筐体内部の構造を示す側部断面図である。
【００２０】
これらの図において、１は印字を行うインクカートリッジ（記録ユニット）である。３は印字対向面となるプラテンである。３ａはプラテン３を補助するプラテン補助部材である。８は記録紙２を載置する記録紙トレイである。９は記録紙の分離時に記録紙２を記録紙分離ローラ１９側に押圧する圧板である。１０は読取時および記録時に搬送媒体（原稿、記録紙）を給送する給送ローラである。１１は原稿を保持する原稿トレイである。１３は原稿１２を分離する分離片である。１５は原稿の分離に必要な動力を与えて原稿を分離し、給送ローラ１０まで原稿を搬送する原稿分離・搬送ローラである。１６は搬送媒体の給送時に給送ローラ１０の動力を補助するピンチローラである。１７は読取時および記録時に搬送媒体を装置の外部に排出する排紙ローラである。１８は搬送媒体の排出時に排紙ローラ１７の動力を補助する拍車である。１９は回転によって記録紙の分離に必要な動力を与えて記録紙を分離し、給送ローラ１０まで記録紙を搬送する記録紙分離・搬送ローラである。２１は読取時および記録時に搬送媒体の有無を検知する搬送媒体検知センサ（ＰＥＳ：Ｐａｐｅｒ  Ｅｄｇｅ  Ｓｅｎｓｏｒ）である。
【００２１】
２２は読取動作を行うコンタクトイメージセンサ（ＣＳ）である。２３は原稿１２を案内する原稿下ガイド部材である。２４はシャーシである。２５は原稿読み取り時にコンタクトイメージセンサ２２によって読み取られる画像データの白色基準を決める白色基準規定部材である。２６はＣＳ２２および白色基準規定部材２５を保持するとともに、装置本体に対して主走査方向に設けられた回動軸２６ａを中心に回動自在に軸支されるコンタクトイメージセンサホルダ（ＣＳホルダ）である。読取ユニットはＣＳホルダ２６、ＣＳ２２および白色基準規定部材２５から構成される。ＣＳホルダ２６は、読取時、プラテン３上の印字部近傍の読取位置に回動し、ＣＳ２２によって共通搬送路を通過する原稿の画像が読み取られる。一方、記録時、ＣＳホルダ２６は、プラテン３上の読取位置から退避した読取待機位置に回動し、プラテン３上を主走査方向に移動自在な記録ユニット１によって共通搬送路を通過する記録紙に記録を行う。
【００２２】
２７は原稿検知センサ（ＤＳ：Ｄｏｃｕｍｅｎｔ  Ｓｅｎｓｏｒ）であり、原稿トレイ１１上の原稿の有無を検知する際に使用される。読取動作時、ＤＳ２７によって原稿が検知され、ＰＥＳ２１によって搬送媒体（原稿、記録紙）が共通搬送路上の所定位置を通過したか否かが検知される。
【００２３】
２９は回転自在な記録紙搬送ローラ（記録紙分離ローラ）１９の状態を検知する搬送ローラ状態監視センサであり、透過型の光センサからなり、記録紙搬送ローラ１９によって光が遮られた状態（図６参照）と光が遮られていない状態（図７参照）との２つの状態を検知する。ここでは、記録紙搬送ローラ１９によって搬送ローラ状態監視センサ２９の光が遮られている状態を、記録紙搬送ローラ１９の初期状態であると呼ぶ。また、この初期状態は、記録動作を行わないときに待機する状態であって、記録紙搬送ローラ１９が原稿の搬送路と空間を共用しない非共有状態（記録媒体搬送手段が記録媒体搬送のために原稿の搬送路を遮断していない状態）に相当する。尚、非共有状態としては、初期状態に限定されない。一方、記録紙搬送ローラ１９が原稿の搬送路と空間を共有している状態を、記録紙搬送ローラ１９の共有状態（記録媒体搬送手段が記録媒体搬送のために原稿の搬送路を遮断している状態）であると呼ぶ。図７は記録紙搬送ローラ１９が原稿の搬送路と空間を共有している状態の複合通信装置の筐体内部の構造を示す側部断面図である。
【００２４】
記録ユニット１は、インクタンクおよびインクヘッド（記録ヘッド）を内蔵しており、インクタンクに充填されたインクをインクヘッドに設けられたノズルから記録紙に吐出して画像データを記録する。また、記録ユニット１は、シャーシ２４の上部が「コ」の字形に形成されたガイドレール７と、シャーシ２４の両側板２４ａ、２４ｂに支持されたガイドシャフト６０とによって案内されるキャリッジ４に着脱自在に取り付けられており、キャリッジベルト６３に固定されたキャリッジ４がキャリッジモータによって駆動されることにより、主走査方向に移動する。
【００２５】
上記構成を有する複合通信装置の読取動作および記録動作を示す。まず、読取動作では、原稿トレイ１１に原稿１２がセットされていると、原稿分離ローラ１５近傍に存在する原稿検知センサ（ＤＳ）２７により原稿１２が検知される。
【００２６】
原稿検知センサ２７により原稿が検知されている状態で、ユーザが操作部１０６から読取動作開始の指示を行うと、読取動作中としての動作モードが記憶部１０７に記憶され、読取動作が開始される。ＣＰＵ１００の制御の下、原稿分離ローラ１５が駆動し、分離片１３から１枚の原稿１２が分離されると、読取位置まで給送される。このとき、記録紙搬送ローラ１９が何らかの要因で図７に示す共有状態にある場合、記録紙搬送ローラ１９は原稿トレイ１１上に突出するので、原稿搬送路が記録紙搬送ローラ１９によって遮断されてしまう。この結果、原稿搬送を正確に行うことはできず、最悪の場合、原稿が破損してしまうおそれがある。したがって、後述する読取制御処理によって、記録紙搬送ローラ１９が共有状態にある場合、非共有状態になるまで記録紙搬送ローラ１９を駆動したり、読取動作を停止するといった処置がとられる。
【００２７】
また、原稿の搬送と同時に、給送ローラ１０の動力を用いてＣＳホルダ２６が回動軸２６ａを中心にプラテン３側に回動すると、ＣＳ２２が読取位置に配置される。この状態で、給送ローラ１０が共通搬送路上の原稿１２を搬送し、ＰＥＳ２１によって原稿後端が検知されるまで、ＣＳ２２は原稿１２から画像情報を読み取っていく。
【００２８】
原稿１２からの画像情報の読み取りが終了すると、排紙ローラ１７により原稿は装置外部に排出される。ユーザにより複数枚の原稿の読取動作が指示されている場合、原稿排紙終了後、次の原稿１２を分離・給送し、同様に画像情報が読み取られていく。そして、ユーザから指示された枚数の画像情報の読み取りが終了すると、最後にＣＳホルダ２６をプラテン３上の読取位置から退避した読取待機位置に回動させ、読取動作を終了する。
【００２９】
つぎに、記録動作では、ユーザが操作部１０６から記録動作開始の指示を行った際、ＣＳホルダ２６が読取位置側に回動していると、記録動作の開始に先立ってＣＳホルダ２６を読取位置から読取待機位置まで退避させる。そして、記録動作中としての動作モードが記憶部１０７に記憶される。これにより、インクカートリッジ（記録ユニット）１はプラテン３上の印字部近傍を主走査方向に移動自在となり、共通搬送路を通過する記録紙２への記録が可能となる。
【００３０】
この後、記録紙トレイ８に載置され、圧板９によって押圧されている記録紙２のうち、ＣＰＵ１００の制御の下、１枚の記録紙が記録紙搬送ローラ１９によって分離されると、プラテン３上の印字部（記録位置）まで給送される。
【００３１】
そして、給送ローラ１０によって搬送される記録紙２の後端がＰＥＳ２１により検知されるまで、記録ユニット１は記録紙２に画像情報を記録していく。画像情報を記録し終えると、排紙ローラ１７により記録紙２は装置外部に排出される。複数枚の記録動作を行う場合、排紙終了後に、次の記録紙の分離・給送、画像情報の記録、記録終了後の排紙といった処理が枚数分繰り返される。
【００３２】
ここで、記録ユニット１が記録動作を行わない場合、ホームポジション（記録待機）位置（図５の矢印Ａで示す位置）に待機し、記録ユニット１の記録ヘッドがインクの乾燥により目詰まりしないようキャピングされる。そして、記録動作を行う場合、キャピングを解除し、記録ユニット１を回復動作位置（図３の矢印Ｂで示す位置）に移動し、記録ヘッドの回復等の初期動作を行った後、記録動作を開始する。このような記録ユニット１の記録動作の他、操作部１０６からユーザの指示がなくても、他の記録動作（例えば、インクカートリッジ１の回復動作、インク残量検知動作など）が所定条件の下、実行される。また、記録動作を行うタイミングとしては、ＰＥＳ２１が記録紙を検知することにより、記録ユニット１が初期動作を開始する。
【００３３】
図８は複合通信装置の電気的構成を示すブロック図である。この複合通信装置は、ＣＰＵ１００、原稿を読み取る読取ユニットを含む読取部１０１、ファクシミリ通信により受信した画像や読取ユニットにより読み取られた原稿の画像を記録紙に記録する記録ユニットを含む記録部１０２、原稿分離ローラ１５や記録紙搬送ローラ１９を制御する搬送ローラ制御部１０３、ＰＥＳ２１、ＤＳ２７および搬送ローラ状態監視センサ２９を含む検知部１０４、検知部１０４によって検知された情報を通知する他、装置の諸状態をユーザに通知する表示器からなる通知部１０５、ユーザによって操作され、各種情報を入力したり、装置の動作を指示する操作部１０６、電話回線を通じてハンドセット１２１による通話や画像情報の送受信を制御する通信制御部１０８、記憶部１０７等がバス１０９を介して接続された構成を有する。記憶部１０７には、読取動作中や記録動作中などの動作モードが記憶されると共に、装置の諸状態が記憶され、さらに読取ユニットにより読み取られた画像情報が記憶される。また、記憶部１０７内のＲＯＭには、後述する制御プログラムが格納されている。
【００３４】
図９は読取開始前の動作処理手順を示すフローチャートである。この制御プログラムは、前述したように記憶部１０７内のＲＯＭに格納されており、ＤＳ２７によって原稿トレイ１１上の原稿が検知された場合、ＣＰＵ１００によって実行される。
【００３５】
まず、操作部１０６を介して使用者から読取開始指示があったか否かを判別する（ステップＳ１）。読取開始指示がなかった場合、ステップＳ１の処理を繰り返し、読取開始指示があると、搬送ローラ状態監視センサ２９によって記録紙搬送ローラ１９の状態を検知する（ステップＳ２）。そして、記録紙搬送ローラ１９が初期状態にあるか否かを判別する（ステップＳ３）。初期状態にあると判別された場合、読み取り動作を正常に行うことができるので、読取動作の開始を許可し（ステップＳ４）、本処理を終了する。この読取動作の開始許可により、読取動作が行われる。
【００３６】
一方、ステップＳ３で記録紙搬送ローラ１９が初期状態にないと判別された場合、一旦、読取動作の開始、即ち原稿分離ローラ１５による原稿の分離・搬送等の動作を禁止する（ステップＳ５）。このとき、通知部１０５に記録紙搬送ローラ１９が初期状態にない旨および読取動作を開始できない旨を表示する。そして、ＰＥＳ２１によって共通搬送路に搬送媒体（原稿あるいは記録紙）が残っているか否かを判別する（ステップＳ６）。共通搬送路に搬送媒体が残っていない場合、記録紙搬送ローラ１９を駆動して初期状態にセットし（ステップＳ７）。本処理を終了する。一方、ステップＳ６で搬送媒体が残っている場合、排紙ローラ１７によって搬送媒体を強制的に排出し（ステップＳ８）、ステップＳ７で記録紙搬送ローラ１９を駆動して初期状態にセットする。この後、本処理を終了する。このように、記録紙搬送ローラ１９が初期状態にない場合、初期状態に戻した後、再度、本処理を実行することで、ステップＳ４で読取動作の開始が許可され、読取動作（原稿分離ローラ１５による原稿の分離・搬送等の動作）が行われることになる。
【００３７】
図１０は原稿読取中における原稿搬送監視処理手順を示すフローチャートである。この制御プログラムは、前述したように記憶部１０７内のＲＯＭに格納されており、原稿の読取動作時、ＣＰＵ１００によって繰り返し実行される。まず、原稿の読取動作中になるまで待機し（ステップＳ１１）、原稿の読取動作中になると、搬送ローラ状態監視センサ２９によって記録紙搬送ローラ１９の状態を検知する（ステップＳ１２）。
【００３８】
記録紙搬送ローラ１９が初期状態であるか否かを判別する（ステップＳ１３）。記録紙搬送ローラ１９が初期状態にある場合、読取動作が開始されてからＰＥＳ２１による原稿の先端検知までに要する時間（所定時間）まで待機し、ＰＥＳ２１がオンになったか否かを判別する（ステップＳ１４）。ＰＥＳ２１がオンでない場合、原稿の搬送動作を停止し（ステップＳ１６）、ステップＳ１２の処理に戻る。一方、ステップＳ１４でＰＥＳ２１がオンになっている場合、原稿搬送は正常に行われているとして、読取動作を継続する（ステップＳ１５）。この後、本処理を終了する。
【００３９】
一方、ステップＳ１３で記録紙搬送ローラ１９が初期状態になく、何らかの原因で異常が発生して共有状態にある場合、原稿読取動作（原稿分離ローラ１５による原稿の分離・搬送、原稿読み取り位置での原稿の読取、原稿の排出等の動作）を中止し（ステップＳ１７）、通知部１０５で、記録紙搬送ローラ１９が初期状態になく読取動作を行うことができない旨を表示して使用者に通知する（ステップＳ１８）。この後、本処理を終了する。
【００４０】
このように、本実施形態によれば、記録紙搬送ローラ１９が原稿トレイ１１に載置された原稿の搬送路と空間を共用するような状態が存在しても、原稿の読取動作時、原稿を正常に搬送することができる。すなわち、使用者から読取動作開始の指示があった場合、記録紙搬送ローラ１９を初期状態にしておくことで、読取動作時に原稿を正常に搬送できる。また、読取動作開始前あるいは読取動作中、記録紙搬送ローラ１９が初期状態にない場合、読取動作を停止あるいは禁止することで、原稿の破損を防止できる。さらに、その旨を使用者に通知することで、ユーザは異常状態で読取不可であることを知ることができる。
【００４１】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００４２】
例えば、上記実施形態では、原稿の読取動作時、記録紙搬送ローラを初期状態（図６参照）に設定したが、非共有状態としては、初期状態に限らず、搬送される原稿を遮断しないよう、原稿の搬送路と空間を共用しない状態であればよく、初期状態と比べて多少、記録紙搬送ローラの停止角度が違っていてもよい。
【００４３】
また、上記実施形態では、記録紙搬送ローラは、側面が略半月状に形成された非円形ローラであり、回転によって原稿搬送路と空間を共有する共有状態になったり、共有しない非共有状態になるものであるが、記録紙搬送ローラとしては、このような動作を行うものに限らず、例えば、円形ローラであって、記録紙搬送時、記録紙側に接近した状態となったり、原稿搬送時、記録紙側から離間する状態となるような動作を行うものであってもよい。
【００４４】
上記実施形態では、ファクシミリ通信機能および複写機能を有する複合通信装置に適用された場合を示したが、本発明は、原稿の読取動作と記録動作を行うことができるものであればよく、ファクシミリ装置、複写機などに限らず、種々の装置に適用可能である。
【００４５】
また、本発明の目的は、実施の形態の機能を実現するソフトウェアのプログラムコードを記録した記憶媒体を装置に供給し、その装置のコンピュータ（またはＣＰＵやＭＰＵ等）が記憶媒体に格納されたプログラムコードを読み出して実行することによっても達成される。
【００４６】
この場合、記憶媒体から読み出されたプログラムコード自体が前述した実施の形態の機能を実現することになり、本発明を構成することになる。
【００４７】
又、プログラムコードを供給するための記憶媒体としては、例えば、フロッピー（登録商標）ディスク、ハードディスク、光磁気ディスク、ＣＤ−ＲＯＭ、ＤＶＤ−ＲＯＭ、不揮発性のメモリカード、ＲＯＭ等を用いることができる。
【００４８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００４９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００５０】
【発明の効果】
本発明によれば、記録媒体搬送手段が原稿の搬送路と空間を共用するような状態が存在しても、原稿の読取動作時、原稿を正常に搬送することができる。また、使用者から読取動作開始の指示があったとき、記録媒体搬送手段が共有状態にある場合でも、非共有状態になるまで、記録媒体搬送手段を可動させることで、原稿の搬送を正常に行うことができるようになる。また、読取動作開始前あるいは読取動作中、記録媒体搬送手段が共有状態にあると、読取動作を禁止あるいは中止することで、原稿の破損を防止できる。さらに、その旨を使用者に通知することで、使用者は異常状態で読取不可であることを知ることができる。
【図面の簡単な説明】
【図１】実施の形態における複合通信装置の外観を示す図である。
【図２】複合通信装置の筐体内部の構造を示す斜視図である。
【図３】記録ユニットが動作中である複合通信装置の筐体内部の構造を示す斜視図である。
【図４】記録ユニットが動作中である複合通信装置の筐体内部の構造を示す側部断面図である。
【図５】読取ユニットが動作中である複合通信装置の筐体内部の構造を示す斜視図である。
【図６】読取ユニットが動作中である複合通信装置の筐体内部の構造を示す側部断面図である。
【図７】記録紙搬送ローラ１９が原稿の搬送路と空間を共有している状態の複合通信装置の筐体内部の構造を示す側部断面図である。
【図８】複合通信装置の電気的構成を示すブロック図である。
【図９】読取開始前の動作処理手順を示すフローチャートである。
【図１０】原稿読取中における原稿搬送監視処理手順を示すフローチャートである。
【図１１】従来の読取記録装置の構成を示す断面図である。
【符号の説明】
１  インクカートリッジ（記録ユニット）
２  記録紙
３  プラテン
４  キャリッジ
８  記録紙トレイ
１０  給送ローラ
１１  原稿トレイ
１２  原稿
１３  分離片
１５  原稿分離ローラ
１９  記録紙分離ローラ（記録媒体搬送ローラ）
２１  原稿後端センサ（ＰＥＳ）
２２  コンタクトイメージセンサ（ＣＳ）
２６  ＣＳホルダ
２７  原稿検知センサ（ＤＳ）
２９  搬送ローラ状態監視センサ
１００  ＣＰＵ
１０１  読取部
１０２  記録部
１０３  搬送ローラ制御部
１０４  検知部
１０５  通知部
１０６  操作部
１０７  記憶部
【図１】
0003720809.tif 000002
【図２】
0003720809.tif 000003
【図３】
0003720809.tif 000004
【図４】
0003720809.tif 000005
【図５】
0003720809.tif 000006
【図６】
0003720809.tif 000007
【図７】
0003720809.tif 000008
【図８】
0003720809.tif 000009
【図９】
0003720809.tif 000010
【図１０】
0003720809.tif 000011
【図１１】
0003720809.tif 000012